【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
所定条件の成立に起因して遊技の当否判定を行う判定手段と、
前記判定手段による当否判定結果に基づいて演出態様を表示する演出態様表示手段と、
前記演出態様を表示する表示画面と、
を備えた遊技機において、
前記演出態様表示手段は、
前記表示画面で前記判定手段による当否判定結果に基づく変動態様で識別図柄を変動表示して所定の態様で停止表示させる第１演出態様を第１表示領域で表示する第１表示手段と、
前記識別図柄が変動表示されている前記第１表示領域を縮小する縮小表示手段と、
前記第１表示領域の縮小に対応して該第１表示領域によって覆われていた第２表示領域が視認可能となるように表示する第２表示手段と、
前記第２表示領域にキャラクタを表示するキャラクタ表示手段と、
前記第１表示領域を縮小した後に、前記キャラクタが前記識別図柄が変動表示されている前記第１表示領域に向けてアクションを行うように表示するアクション表示手段と、
前記アクションに対応して前記識別図柄が変動表示されている前記第１表示領域上に前記当否判定結果の信頼度を示唆する信頼度示唆要素を表示する第３表示手段と、
を有することを特徴とする遊技機。
【請求項２】
前記所定の移動態様は、前記第１表示領域が奥側方向若しくは手前側方向に所定角度傾く態様であることを特徴とする請求項１に記載の遊技機。
【請求項３】
前記第３表示手段は、前記信頼度示唆要素を表示した後、前記第１表示領域が前記第２表示領域を全て覆うように再度移動されて表示されると共に、前記識別図柄が変動表示されている該第１表示領域に前記信頼度示唆要素を視認可能に表示することを特徴とする請求項１又は請求項２に記載の遊技機。
【請求項４】
前記第１表示手段は、変動表示される前記識別図柄の形状内を前記第２表示領域が視認可能な箇所として設定し、
前記キャラクタ表示手段は、前記第１表示領域が前記所定の移動態様で移動される前に、前記キャラクタの少なくとも一部が前記識別図柄の形状内を介して視認可能となるように前記第２表示領域に前記キャラクタを表示することを特徴とする請求項１乃至請求項３のいずれかに記載の遊技機。
【手続補正２】
【補正対象書類名】明細書
【補正対象項目名】０００６
【補正方法】変更
【補正の内容】
【０００６】
前記目的を達成するため請求項１に係る遊技機は、所定条件の成立に起因して遊技の当否判定を行う判定手段と、前記判定手段による当否判定結果に基づいて演出態様を表示する演出態様表示手段と、前記演出態様を表示する表示画面と、を備えた遊技機において、前記演出態様表示手段は、前記表示画面で前記判定手段による当否判定結果に基づく変動態様で識別図柄を変動表示して所定の態様で停止表示させる第１演出態様を第１表示領域で表示する第１表示手段と、前記識別図柄が変動表示されている前記第１表示領域を縮小する縮小表示手段と、前記第１表示領域の縮小に対応して該第１表示領域によって覆われていた第２表示領域が視認可能となるように表示する第２表示手段と、前記第２表示領域にキャラクタを表示するキャラクタ表示手段と、前記第１表示領域を縮小した後に、前記キャラクタが前記識別図柄が変動表示されている前記第１表示領域に向けてアクションを行うように表示するアクション表示手段と、前記アクションに対応して前記識別図柄が変動表示されている前記第１表示領域上に前記当否判定結果の信頼度を示唆する信頼度示唆要素を表示する第３表示手段と、を有することを特徴とする。
【手続補正３】
【補正対象書類名】明細書
【補正対象項目名】００１０
【補正方法】変更
【補正の内容】
【００１０】
請求項１に記載の発明によれば、所定条件の成立に起因して遊技の当否判定を行う判定手段と、前記判定手段による当否判定結果に基づいて演出態様を表示する演出態様表示手段と、前記演出態様を表示する表示画面と、を備えた遊技機において、前記演出態様表示手段は、前記表示画面で前記判定手段による当否判定結果に基づく変動態様で識別図柄を変動表示して所定の態様で停止表示させる第１演出態様を第１表示領域で表示する第１表示手段と、前記識別図柄が変動表示されている前記第１表示領域を縮小する縮小表示手段と、前記第１表示領域の縮小に対応して該第１表示領域によって覆われていた第２表示領域が視認可能となるように表示する第２表示手段と、前記第２表示領域にキャラクタを表示するキャラクタ表示手段と、前記第１表示領域を縮小した後に、前記キャラクタが前記識別図柄が変動表示されている前記第１表示領域に向けてアクションを行うように表示するアクション表示手段と、前記アクションに対応して前記識別図柄が変動表示されている前記第１表示領域上に前記当否判定結果の信頼度を示唆する信頼度示唆要素を表示する第３表示手段と、を有する構成のため、遊技の当否判定結果を示唆する演出表示の趣向性を高めることが可能となる。
【手続補正４】
【補正対象書類名】明細書
【補正対象項目名】００１１
【補正方法】変更
【補正の内容】
【００１１】
つまり、判定手段による当否判定結果に基づく変動態様で識別図柄を変動表示して所定の態様で停止表示させる第１演出態様が表示される第１表示領域が、識別図柄が変動表示されている状態で縮小して表示される。また、第１表示領域の縮小に対応して該第１表示領域によって覆われていた第２表示領域が視認可能となるように表示される。そして、第２表示領域に表示されたキャラクタが、識別図柄が変動表示されている第１表示領域に向けてアクションを行うように表示される。このアクションに対応して識別図柄が変動表示されている第１表示領域上に当否判定結果の信頼度を示唆する信頼度示唆要素が表示される。
【手続補正５】
【補正対象書類名】明細書
【補正対象項目名】００１２
【補正方法】変更
【補正の内容】
【００１２】
これにより、遊技者は、第１表示領域に表示される第１演出態様だけでなく、第２表示領域に表示されるキャラクタも同時に視認することができ、趣向性を高めることが可能となる。また、キャラクタが、識別図柄が変動表示されている第１表示領域に向けて行ったアクションに対応して識別図柄が変動表示されている第１表示領域上に当否判定結果の信頼度を示唆する信頼度示唆要素が表示されるため、遊技の当否判定結果を示唆する演出表示の趣向性を更に高めることが可能となる。また、縮小表示した第１表示領域上に識別図柄を変動表示することが可能となり、識別図柄を変動表示させる際に趣向性を高めることが可能となる。
【手続補正６】
【補正対象書類名】明細書
【補正対象項目名】０２３１
【補正方法】変更
【補正の内容】
【０２３１】
上記第１０の構成を有する遊技機では、少なくとも一部の領域が上下方向又は左右方向若しくは斜め方向に巻き取られた第１表示領域に第１演出態様を表示すると共に、第２表示領域の第１表示領域の巻き取られた部分に重なっていた領域に第２演出態様を表示することが可能となる。これにより、遊技者は、第１演出態様と第２演出態様とを容易に視認することができ、趣向性を高めることが可能となる。
（付記１１）また、例えば、第１１の構成に係る遊技機は、所定条件の成立に起因して遊技の当否判定を行う判定手段と、前記判定手段による当否判定結果に基づいて演出態様を表示する演出態様表示手段と、前記演出態様を表示する表示画面と、を備えた遊技機において、前記演出態様表示手段は、前記表示画面で前記判定手段による当否判定結果に基づく変動態様で識別図柄を変動表示して所定の態様で停止表示させる第１演出態様を第１表示領域で表示する第１表示手段と、前記識別図柄が変動表示されている前記第１表示領域を所定の移動態様で移動させて、該第１表示領域が移動前の状態よりも小さくなるように表示する縮小表示手段と、前記第１表示領域の縮小に対応して該第１表示領域によって覆われていた第２表示領域が視認可能となるように表示する第２表示手段と、前記第２表示領域の視認可能となった領域にキャラクタを表示するキャラクタ表示手段と、前記キャラクタが前記識別図柄が変動表示されている前記第１表示領域に向けてアクションを行うように表示するアクション表示手段と、前記アクションに対応して前記識別図柄が変動表示されている前記第１表示領域上に前記当否判定結果の信頼度を示唆する信頼度示唆要素を表示する第３表示手段と、を有することを特徴とする。
上記構成を有する遊技機によれば、遊技の当否判定結果を示唆する演出表示の趣向性を高めることが可能となる。